(57)【要約】【課題】  操作性に優れ、汚れ難く、スッキリとシンプルなデザインで、見栄え性が向上する浴室用壁付水栓金具を提供する。【解決手段】  ハンドル５，６およびハンドルとは別体の吐水口７を本体機構部４の下方にレイアウトし、本体機構部４の上方に棚板８を設けて構成する。【選択図】  図１
2005054542.tif 000002
【特許請求の範囲】
【請求項１】
ハンドルおよびハンドルとは別体の吐水口を、本体機構部に対し下方にレイアウトしたことを特徴とする浴室用壁付水栓金具。
【請求項２】
前記本体機構部を鏡の裏面に位置させたことを特徴とする請求項１に記載の浴室用壁付水栓金具。
【請求項３】
前記本体機構部を水栓脚により自立固定させたことを特徴とする請求項１または請求項２に記載の浴室用壁付水栓金具。
【請求項４】
前記本体機構部上に棚板を設けたことを特徴とする請求項１に記載の浴室用壁付水栓金具。
【請求項５】
前記ハンドルの１つはシャワー・吐水切替及び流量調整用であり、もう１つは温度調節用であることを特徴とする請求項１または請求項２または請求項３または請求項４に記載の浴室用壁付水栓金具。
【発明の詳細な説明】
【技術分野】
【０００１】
この発明は、浴室用の壁付水栓金具に関するものである。
【背景技術】
【０００２】
従来、浴室用の水栓金具の殆どは、ハンドルが上方または手前側、または横方向の何れかにレイアウトされている。
【特許文献１】実開平２−１４４０５７号公報
【発明の開示】
【発明が解決しようとする課題】
【０００３】
水栓金具のハンドルを上方に設けた場合では、ハンドルの付け根に汚れが溜まり易く、掃除もしづらいという問題点があった。
また、ハンドルを手前側に設けた場合は、本体機構部の長さ分、前方側へ突出してしまうこととなる。
また、ハンドルを横方向に設けた場合は、本体機構部を隠すために、それなりの化粧が必要となり、コスト高となってしまうという問題点があった。
また、従来の水栓金具では、ハンドルを操作する時は、手の向きを変えなければならず、動作が不自然なものとなることが多かった。
【課題を解決するための手段】
【０００４】
本発明は上記従来の問題点に鑑み案出したものであって、操作性に優れ、汚れ難く、スッキリとしたシンプルなデザインで見栄え性が向上する浴室用壁付水栓金具を提供するものであり、請求項１では、ハンドルおよびハンドルとは別体の吐水口を、本体機構部に対し下方にレイアウトしたことである。
また、請求項２では、前記本体機構部を鏡の裏面に位置させたことである。
また、請求項３では、前記本体機構部を水栓脚により自立固定させたことである。
また、請求項４では、前記本体機構部上に棚板を設けたことである。
また、請求項５では、前記ハンドルの１つはシャワー・吐水切替及び流量調整用であり、もう１つは温度調節用としたことである。
【発明の効果】
【０００５】
ハンドルおよびハンドルとは別体の吐水口を本体機構部に対し下方にレイアウトしたことにより、水栓の上部がスッキリとして、水栓上部にカウンター等を設けた場合でも、ハンドルおよび吐水口が干渉しなくなり、吐水口を良好に動かせるものとなる。
また、洗顔の時や手の平に水を溜める時において、手の平を上に向けた状態のままハンドルの操作ができるようになり、使い勝手が良好なものとなる。
また、浴室ではハンドルに水がかかり汚れ易くなるが、ハンドルが下向きになっているため、ハンドルが汚れ難いものとなる。
【０００６】
また、本体機構部を鏡の裏面に位置させたことにより、鏡の底側からはハンドルと吐水口だけが突出してシンプルな外観となり、また、鏡の裏側で配管等を接続して隠蔽させることができ、掃除し易く外観が向上したものとなる。
また、鏡に顔を近づけ易く、見やすいものとなる。
【０００７】
また、本体機構部を水栓脚により自立固定させたことにより、専用ブラケット等を用いることなく、良好に浴室の壁に水栓脚で固定できるものとなる。
【０００８】
また、本体機構部上に棚板を設けたことにより、ハンドル操作の際、手が干渉しない位置に棚板を設けることができ、ハンドルの出っ張りがなく棚板上に物を置き易く、使い勝手が良好なものとなる。
【０００９】
また、ハンドルの１つはシャワー・吐水切替及び流量調整用であり、もう１つは温度調節用であることにより、一方の手で温度調節をしながら、もう一方の手で吐水の切替等を良好に行うことができ、使い勝手が良好なものとなる。
【実施例】
【００１０】
以下、本発明の実施例を図面に基づいて説明する。
図１は、浴室の壁面に取り付けられた水栓金具の斜視構成図であり、水栓金具１は、浴室の壁面から前方側へ、水用の水栓脚２と湯用の水栓脚３が設けられ、この水栓脚２，３の前端に本体機構部４が接続されて、本体機構部４は、水栓脚２，３を介して浴室壁面に自立固定されたものとなっている。
この本体機構部４には、下方へ垂下状に、左側に温度調節ハンドル５が、また右側には切替ハンドル６（シャワー・吐水切替及び流量調整用）が設けられており、それぞれのハンドル５，６には、前方側へ突出して突起５ａ，６ａが形成されている。
また、中央部には、吐水口７が下方側へ向かって設けられている。
【００１１】
このように、ハンドル５，６および吐水口７を、本体機構部４に対し下方にレイアウトしたために、図１に示すように、洗顔等を行う際に、手の平を上に向けた状態のままハンドル５，６を良好に操作することができ、使い勝手が良好なものとなり、従来のように手の向きを変えることなく、洗顔等を容易に行えるものとなる。
また、本体機構部４の上方には突出するものがないため、本体機構部４の上方に棚板８等を良好に設置することができ、棚板８上に物を置く際にもハンドル５，６が邪魔になることはなく、物を置き易いものとなる。
また、棚板８上に物が置いてあっても、良好に吐水口７を動かして、良好に使用することができるものとなる。
【００１２】
なお、図２は、吐水口７から分岐して、シャワーヘッド１０を先端に備えたホース９を接続した構成であり、棚板８の上方の浴室の壁面には鏡１１を設置したものである。
なお、図３は、水栓金具１の本体機構部４の上面に、固定キャップ１２，１２を介して棚板８を固定状に取り付け、この棚板８上の壁面に鏡１１を設置したものである。
【００１３】
更に、図４で示すものは、鏡１１を壁面から手前側に設けて、鏡１１の裏側に収納空間Ｓを形成させて、この鏡１１の下端裏側に、水栓金具の本体機構部４を隠したものである。
即ち、本体機構部４は、収納空間Ｓ内に隠蔽状に収納されて、鏡１１の下端には、ハンドル５，６と、吐水口７のみが露出する構成であるため、極めてスッキリとしたシンプルなデザインとなり、見栄えが向上したものとなる。
また、同時に鏡１１の裏側の収納空間Ｓ内に水栓脚２，３や配管接続部を隠蔽させることができ、スッキリとした美観が得られて、掃除もし易いものとなる。また、鏡１１が手前に出ているために、顔を近づけ易く、鏡１１を見やすいものとなる。
なお、図５は、鏡を取り外した状態の収納空間Ｓ内に本体機構部４が収納されている状態を示す斜視図である。
【００１４】
なお、水栓金具１のハンドル５，６および吐水口７は、図６の側面概略構成図で示すように、下端を手前側へ傾斜させて本体機構部４に取り付けたものであっても良く、このように、ハンドル５，６や吐水口７を手前側へ角度を付けて設けておけば、より使い勝手が良好なものとなり、上方に突出幅の大なる棚板８を設けた場合でも、良好に水栓１を使用できるものとなる。
【図面の簡単な説明】
【００１５】
【図１】水栓金具を使用している状態の斜視構成図である。
【図２】上方に棚板を設け、更に上方に鏡を設置した設置状態の斜視構成図である。
【図３】固定キャップで棚板を固定した状態の斜視構成図である。
【図４】鏡の裏側に水栓金具の本体機構部を収納させた設置状態を示す外観構成図である。
【図５】図４の鏡を取り外した状態の斜視構成図である。
【図６】ハンドル等に角度を付けた水栓金具の側面概略構成図である。
【符号の説明】
【００１６】
１  水栓金具
２，３  水栓脚
４  本体機構部
５  温度調節ハンドル
６  切替ハンドル
５ａ，６ａ  突起
７  吐水口
９  ホース
１０  シャワーヘッド
１１  鏡
１２  固定キャップ
Ｓ  収納空間
Ｗ  浴室壁面
【図１】
2005054542.tif 000003
【図２】
2005054542.tif 000004
【図３】
2005054542.tif 000005
【図４】
2005054542.tif 000006
【図５】
2005054542.tif 000007
【図６】
2005054542.tif 000008